(57)【要約】【課題】実際のゴルフクラブのスイング感覚に対応した適切なスイングウエイトを計測することができるスイングウエイト計測器と、同等のスイング感覚を得ることのできる適切なゴルフクラブセットとを提供する。【解決手段】ロッド３６の一端部に配設したクラブ支持部４２によりゴルフクラブ３８のシャフト４０を支持する一方、ロッド３６の他端部側における支持部材３４から１インチの位置に配設したグリップエンド保持部４６によりゴルフクラブ３８のグリップエンド４４を保持し、ゴルフクラブ３８を水平状態としたときの錘４８の位置からスイングウエイトを計測する。そして、計測されたスイングウエイトが略同一となる複数のゴルフクラブをゴルフクラブセットとする。【選択図】図１
2007007173.tif 000002
【特許請求の範囲】
【請求項１】
ゴルフクラブのスイングウエイトを計測するスイングウエイト計測器において、
グリップエンドを保持するグリップエンド保持部と、
前記グリップエンド及びヘッド間の所定部位を下方向から支持するクラブ支持部と、
前記グリップエンド保持部及び前記クラブ支持部が連結され、前記グリップエンド保持部から前記クラブ支持部側の２．５〜１０ｃｍの範囲の所定部位が軸支されるロッドと、
前記グリップエンド保持部から前記クラブ支持部と反対方向に延在する前記ロッドにスライド自在に装着される錘と、
を備え、前記ロッドが水平状態となるときの前記錘の位置に基づいてスイングウエイトを計測することを特徴とするスイングウエイト計測器。
【請求項２】
請求項１記載のスイングウエイト計測器において、
前記ゴルフクラブは、パターであることを特徴とするスイングウエイト計測器。
【請求項３】
請求項１記載の前記スイングウエイト計測器により計測された前記スイングウエイトが略同一に設定される複数の前記ゴルフクラブからなることを特徴とするゴルフクラブセット。
【請求項４】
請求項３記載のゴルフクラブセットにおいて、
前記ゴルフクラブは、パターであることを特徴とするゴルフクラブセット。
【発明の詳細な説明】
【技術分野】
【０００１】
本発明は、ゴルフクラブのスイングウエイトを計測するスイングウエイト計測器、並びに、このスイングウエイト計測器により計測されたスイングウエイトが略同一に設定される複数のゴルフクラブからなるゴルフクラブセットに関する。
【背景技術】
【０００２】
ゴルフクラブにおいては、ゴルファーがスイングしたときに感じるゴルフクラブの重さや振り易さの指標として、スイングウエイト（又は、スイングバランスとも言う。）が計測される。
【０００３】
スイングウエイトは、ゴルフクラブをスイングするときの支点の回りの回転モーメントと捉えることができる。従来から、グリップエンドより１４インチ（３５．５６ｃｍ）の部位を支点として回転モーメントを計測するものが一般的であるが、１２インチ（３０．４８ｃｍ）の部位を支点として計測するもの、５インチ（１２．７ｃｍ）の部位を支点として計測するものもある（特許文献１参照）。
【０００４】
図２は、グリップエンドより１４インチの部位を支点として回転モーメントを計測するスイングウエイト計測器２の概略構成図である。
【０００５】
スイングウエイト計測器２は、基台４上に支持部材６が配設され、この支持部材６に対して、ロッド８が回動自在に軸支される。ロッド８の一端部には、ゴルフクラブ１０のシャフト１２を下方向から支持するクラブ支持部１４が配設される。また、ロッド８の他端部と支持部材６との間の所定部位には、ゴルフクラブ１０のグリップエンド１６を保持するグリップエンド保持部１８が配設される。この場合、グリップエンド保持部１８と支持部材６との距離は、１４インチに設定されている。グリップエンド保持部１８と支持部材６との間には、ロッド８に沿ってスライド自在な錘２０が配設される。ロッド８の錘２０の可動範囲には、スイングウエイトを表す目盛り２２（例えば、Ｃ〜Ｅのアルファベットに数値を組み合わせたもの）が記録されている。なお、ロッド８の他端部は、基台４に配設された規制部材２４によって上下の揺動範囲が規制される。
【０００６】
このように構成されるスイングウエイト計測器２において、ロッド８に対する錘２０の位置を調整してゴルフクラブ１０を水平状態に保持することにより、ゴルフクラブ１０の重心Ｇにおける支点Ｐの回りの回転モーメントと、グリップエンド１６における支点Ｐの回りの回転モーメントとが釣り合う。なお、支点Ｐは、ロッド８の回動中心である支点Ｑ上の点である。
【０００７】
この場合、ゴルフクラブ１０の重量をＷ（オンス）、支持部材６の支点Ｑと重心Ｇとの距離をＬ（インチ）とすると、スイングウエイトは、Ｌ・Ｗであり、このＬ・Ｗに対応して設定されている目盛り２２の値を錘２０の位置から読み取ることでスイングウエイトを計測する。
【０００８】
【特許文献１】特開２００４−３２５１４５号公報
【発明の開示】
【発明が解決しようとする課題】
【０００９】
ところで、例えば、アイアンクラブセットにおいては、セットを構成する各ゴルフクラブのスイングウエイトが同一となるように、ヘッド２６の重量等を調整する処理がなされている。これにより、各ゴルフクラブでのスイング感覚を同じにすることが可能であるとしている。
【００１０】
しかしながら、ゴルフクラブの長さや重量が大きく異なる場合には、スイングウエイトが同一に調整されていても、スイング感覚が異なることがある。
【００１１】
この理由としては、スイングウエイト計測器２では、ゴルフクラブ１０のスイングの支点Ｐが、グリップエンド１６から１４インチの地点に設定されていることが考えられる。実際のゴルフクラブ１０のスイングの支点Ｐの位置は、グリップエンド１６寄りにあり、特に、パターの支点Ｐは、さらにグリップエンド１６寄りとなっている。
【００１２】
本発明は、前記の課題に鑑みてなされたものであり、実際のゴルフクラブのスイング感覚に対応した適切なスイングウエイトを計測することのできるスイングウエイト計測器を提供することを目的とする。
【００１３】
また、本発明は、同等のスイング感覚を得ることのできる適切なゴルフクラブセットを提供することを目的とする。
【課題を解決するための手段】
【００１４】
本発明のスイングウエイト計測器は、ゴルフクラブのスイングウエイトを計測するスイングウエイト計測器において、
グリップエンドを保持するグリップエンド保持部と、
前記グリップエンド及びヘッド間の所定部位を下方向から支持するクラブ支持部と、
前記グリップエンド保持部及び前記クラブ支持部が連結され、前記グリップエンド保持部から前記クラブ支持部側の２．５〜１０ｃｍの範囲の所定部位が軸支されるロッドと、
前記グリップエンド保持部から前記クラブ支持部と反対方向に延在する前記ロッドにスライド自在に装着される錘と、
を備え、前記ロッドが水平状態となるときの前記錘の位置に基づいてスイングウエイトを計測することを特徴とする。
【００１５】
また、前記スイングウエイト計測器により計測された前記スイングウエイトが略同一に設定される複数の前記ゴルフクラブからなることを特徴とする。
【発明の効果】
【００１６】
本発明のスイングウエイト計測器では、実際のゴルフクラブのスイングの支点位置近傍を基準としてスイングウエイトを計測することができるため、スイング感覚が高精度に一致した指標であるスイングウエイトを得ることができる。
【００１７】
また、前記のようにして求めたスイングウエイトが略同一のゴルフクラブをセットとすることにより、同等のスイング感覚が得られるゴルフクラブセットを提供することができる。
【００１８】
特に、パターにおいては、ストロークの際の支点がグリップエンドに極めて近いため、一層適切なスイングウエイトを求めることができる。
【発明を実施するための最良の形態】
【００１９】
図１は、本実施形態のスイングウエイト計測器３０の側面構成図である。
【００２０】
スイングウエイト計測器３０は、基台３２上に支持部材３４が配設され、この支持部材３４の支点Ｑに対して、ロッド３６が回動自在に軸支される。ロッド３６の一端部には、パターのヘッド３７を有するゴルフクラブ３８のシャフト４０を下方向から支持するクラブ支持部４２が配設される。また、支持部材３４を間としてクラブ支持部４２と反対側には、ゴルフクラブ３８のグリップエンド４４を保持するグリップエンド保持部４６が配設される。この場合、支持部材３４とグリップエンド保持部４６が配設される部位との距離は、１インチに設定されている。
【００２１】
ロッド３６は、グリップエンド保持部４６が配設されている部位からさらに他端部側に延在しており、その延在する部分には、ロッド３６に沿ってスライド自在な錘４８が配設される。そして、錘４８の可動範囲には、ゴルフクラブ３８のスイングウエイトを表す目盛り５０が記録されている。なお、ロッド３６の他端部側は、基台３２に配設された規制部材５２に遊嵌し、基台３２に対するロッド３６の上下の揺動範囲が規制されている。
【００２２】
本実施形態に係るスイングウエイト計測器３０は、基本的には以上のように構成されるものであり、次に、その動作並びに作用効果について説明する。
【００２３】
ゴルフクラブ３８のシャフト４０をクラブ支持部４２によって支持するとともに、グリップエンド４４をグリップエンド保持部４６に保持させた後、錘４８をロッド３６に沿って移動させ、ゴルフクラブ３８を水平状態に設定する。このとき、ゴルフクラブ３８の重心Ｇにおける支点Ｐの回りの回転モーメントＬ・Ｗは、グリップエンド４４における支点Ｐの回りの回転モーメントと釣り合い、この回転モーメントであるスイングウエイトが錘４８の位置に対応する目盛り５０の値として計測される。
【００２４】
この場合、計測されたスイングウエイトは、パターのゴルフクラブ３８のストロークの中心に略一致する支点Ｐにおけるスイングウエイトであるため、実際のストローク感覚に極めて近い計測結果を得ることができる。従って、ゴルファーは、自己の所望のスイングウエイトからなるパターを選択し、あるいは、ヘッド３７の重量等調整することで所望のスイングウエイトからなるパターとすることができる。
【００２５】
なお、上述した実施形態では、支持部材３４とグリップエンド保持部４６との距離を１インチ（２．５４ｃｍ）に設定した場合について説明したが、この距離を略１インチ〜略４インチ（２．５〜１０ｃｍ）の範囲で調整することにより、適用するゴルフクラブの種類等に応じた適切なスイングウエイトを計測することができる。
【００２６】
次に、本実施形態のゴルフクラブセットについて説明する。
【００２７】
シャフト長が３２インチ、３３インチ、３４インチ、３５インチからなる異なる４本のパターから構成されるゴルフクラブセットＡ、Ｂ、Ｃを作成し、各ゴルフクラブセットＡ、Ｂ、Ｃのスイングウエイトを、図２に示す従来のスイングウエイト計測器２（１４インチ計測器とも言う。）と、図１に示す本実施形態のスイングウエイト計測器３０（１インチ計測器とも言う。）とを用いて計測した結果を図３に示す。なお、回転モーメントと１４インチ計測器によるスイングウエイトの記号との関係を図４Ａに示し、回転モーメントと１インチ計測器によるスイングウエイトの記号との関係を図４Ｂに示す。
【００２８】
セットＡは、ヘッドが同一でシャフト長が異なるセットであり、セットＢは、セットＡの各ゴルフクラブのスイングウエイトをスイングウエイト計測器２で計測し、各スイングウエイトが同一となるように調整したセットである。又、セットＣは、本実施形態のゴルフクラブセットであり、セットＡの各ゴルフクラブのスイングウエイトをスイングウエイト計測器３０で計測し、各スイングウエイトが同一となるように調整したセットである。
【００２９】
この場合、ゴルフクラブセットＡ、Ｂ、Ｃをゴルファーが実打テストを行ってスイング感覚を評価したところ、本実施形態のゴルフクラブセットＣにおいて、スイング感覚の統一感が最も高い評価が得られた。
【００３０】
なお、本発明は、上述した実施形態に限定されるものではなく、例えば、ゴルフクラブセットとして、ウエッジ、ドライバ等であってもよい。また、アイアンのセットであってもよい。
【図面の簡単な説明】
【００３１】
【図１】本実施形態に係るスイングウエイト計測器の側面構成図である。
【図２】従来技術に係るスイングウエイト計測器の概略構成図である。
【図３】本実施形態のゴルフクラブセットと従来のゴルフクラブセットとの比較説明図である。
【図４】図４Ａは、従来の回転モーメントとスイングウエイトの標記との関係説明図、図４Ｂは、本実施形態の回転モーメントとスイングウエイトの標記との関係説明図である。
【符号の説明】
【００３２】
３０…スイングウエイト計測器  ３２…基台
３４…支持部材                ３６…ロッド
３８…ゴルフクラブ            ４２…クラブ支持部
４６…グリップエンド保持部    ４８…錘
５０…目盛り
【図１】
2007007173.tif 000003
【図２】
2007007173.tif 000004
【図３】
2007007173.tif 000005
【図４】
2007007173.tif 000006